(57)【要約】【課題】スライド可能な窓自体を面発光させることができる、引き違い窓等に用いると好適なスライド式窓構造を提供する。【解決手段】給電用ケーブル７が、固定枠１から窓枠２まで、少なくとも窓枠２のスライド方向に沿って延在するので、固定枠１に対して窓枠２をスライドさせる際に抵抗にならず、給電用ケーブル７を介して固定枠１側からＬＥＤ光源３に給電を行え、任意に発光させることができる。【選択図】図３
2012149440.tif 000002
【特許請求の範囲】
【請求項１】
相対向する一対の主面を有する、光透過性の導光板と、
前記導光板の周囲を保持する窓枠と、
前記窓枠に取り付けられ、前記導光板の少なくとも１つの外縁に対向して発光部を備えた光源と、
前記窓枠をスライド可能に支持する固定枠と、
前記固定枠から前記窓枠まで、少なくとも前記窓枠のスライド方向に沿って延在する、前記光源の給電用ケーブルとを有することを特徴とするスライド式窓構造。
【請求項２】
前記給電用ケーブルは、前記固定枠と前記窓枠の内部に、折り返すようにして収容されていることを特徴とする請求項１に記載のスライド式窓構造。
【請求項３】
前記給電用ケーブルは、前記スライド方向と直交する断面において、折り返しライン方向の幅が、それと直交する方向の幅より小さいことを特徴とする請求項２に記載のスライド式窓構造。
【請求項４】
前記給電用ケーブルは、前記固定枠と前記窓枠のうち少なくとも一方の内部でカールしていることを特徴とする請求項１〜３のいずれかに記載のスライド式窓構造。
【請求項５】
前記導光板は、前記一対の主面のうちの一方の主面に、光を拡散して反射する拡散反射部を有することを特徴とする請求項１〜４のいずれかに記載のスライド式窓構造。
【請求項６】
前記拡散反射部は、前記導光板の前記主面に印刷されたものであることを特徴とする請求項５に記載のスライド式窓構造。
【請求項７】
前記光源はヒートシンクに隣接して配置され、前記ヒートシンクは、室内側が前記窓枠により覆われており、室外側の少なくとも一部が前記窓枠から露出していることを特徴とする請求項１〜６のいずれかに記載のスライド式窓構造。
【発明の詳細な説明】
【技術分野】
【０００１】
本発明は、建物に好適に取り付けられて、導光板を発光させることで室内を照明できるスライド式窓構造に関する。
【背景技術】
【０００２】
建物に取り付けられる窓の本来的な役割は、日中は屋外より外光を取り入れて室内を明るく保ち、閉じることで風や雨の侵入を防ぎ、また適宜開放して換気などを行うものである。特に、窓をスライドさせる引き違い窓は簡素な構造で大きな開放感が得られるため、広く用いられている。ところで、近年では窓自体に照明機能を持たせようとする試みが行われている。例えば特許文献１には、窓台に凹部を設けて、かかる凹部内に発光部を配置し、この発光部からの光を面板の下端部から入射させて、面板を面発光させる技術が開示されている。
【０００３】
一方、特許文献２には、導光面材を周枠で支持し、周枠のうち下枠の少なくとも上部に投光部を設け、下枠内に灯具を組み込んだ技術が開示されている。
【先行技術文献】
【特許文献】
【０００４】
【特許文献１】特開２００７−３１５０７３号公報
【特許文献２】特開平０４−３１５６７５号公報
【発明の概要】
【発明が解決しようとする課題】
【０００５】
ここで、特許文献１に示す技術は、建物に固定して設置される固定窓に関するものであり、従って引き違い窓のような換気機能を有しないため、設置場所が限られるという問題がある。又、特許文献２に示す技術は、実施例で門扉パネルに示した例があるが、具体的に配線をどのように取り回すか開示がない。つまり、引き違い窓等において窓自体を面発光させる場合、光源の配置と配線の取り回しをどうするかが大きな問題となっている。
【０００６】
本発明は、上述の問題に鑑みてなされたものであり、スライド可能な窓自体を面発光させることができる、引き違い窓等に用いると好適なスライド式窓構造を提供することを目的とする。
【課題を解決するための手段】
【０００７】
請求項１に記載のスライド式窓構造は、
相対向する一対の主面を有する、光透過性の導光板と、
前記導光板の周囲を保持する窓枠と、
前記窓枠に取り付けられ、前記導光板の少なくとも１つの外縁に対向して発光部を備えた光源と、
前記窓枠をスライド可能に支持する固定枠と、
前記固定枠から前記窓枠まで、少なくとも前記窓枠のスライド方向に沿って延在する、前記光源の給電用ケーブルとを有することを特徴とする。
【０００８】
本発明によれば、前記給電用ケーブルが、前記固定枠から前記窓枠まで、少なくとも前記窓枠のスライド方向に沿って延在するので、前記固定枠に対して前記窓枠をスライドさせた場合でも、前記給電用ケーブルを介して前記固定枠側から前記光源に給電を行え、任意に発光させることができる。光源としては、小型化や省エネの観点からＬＥＤ素子が好ましいが、それに限られない。
【０００９】
請求項２に記載のスライド式窓構造は、請求項１に記載の発明において、前記給電用ケーブルは、前記固定枠と前記窓枠の内部に、折り返すようにして収容されていることを特徴とする。これにより、前記窓枠をスライドさせたようなときに、前記給電用ケーブルが引っかかることがなく、又前記給電用ケーブルが外から見えずデザイン上も好ましい。
【００１０】
請求項３に記載のスライド式窓構造は、請求項２に記載の発明において、前記給電用ケーブルは、前記スライド方向と直交する断面において、折り返しライン方向の幅が、それと直交する方向の幅より小さいことを特徴とする。これにより給電用ケーブルの耐久性を向上させると共に、前記窓枠をスライドさせた際の給電用ケーブルの抵抗を抑えることができる。
【００１１】
請求項４に記載のスライド式窓構造は、請求項１〜３のいずれかに記載の発明において、前記給電用ケーブルは、前記固定枠と前記窓枠のうち少なくとも一方の内部でカールしていることを特徴とする。これにより給電用ケーブルの耐久性を向上させると共に、前記窓枠をスライドさせた際の給電用ケーブルの抵抗を抑えることができる。カールした配線としては、例えばモジュラーカールコード等が知られている。
【００１２】
請求項５に記載のスライド式窓構造は、請求項１〜４のいずれかに記載の発明において、前記導光板は、前記一対の主面のうちの一方の主面に、光を拡散して反射する拡散反射部を有することを特徴とする。これにより、前記導光板に入射した前記光源からの光を、前記拡散反射部が設けられた主面と対向する側の主面から出射することができる。
【００１３】
請求項６に記載のスライド式窓構造は、請求項５に記載の発明において、前記拡散反射部は、前記導光板の前記主面に印刷されたものであることを特徴とする。これにより、面状照明用の導光板を容易に得ることができる。
【００１４】
請求項７に記載のスライド式窓構造は、請求項１〜６のいずれかに記載の発明において、前記光源はヒートシンクに隣接して配置され、前記ヒートシンクは、室内側が前記窓枠により覆われており、室外側が前記窓枠から露出していることを特徴とする。これにより、光源から伝わる熱を、ヒートシンクを介して室外側に放熱することが出来、また窓をスライドする人の手に熱が伝わりにくい構造となっている。
【発明の効果】
【００１５】
本発明によれば、スライド可能な窓自体を面発光させることができる、引き違い窓等に用いると好適なスライド式窓構造を提供することができる。
【図面の簡単な説明】
【００１６】
【図１】本実施の形態であるスライド式窓構造の正面図である。
【図２】図１の矢印II部を拡大して示す図である。
【図３】図２の構成をIII-III線で切断して矢印方向に見た図である。
【図４】導光板の断面を示す概略図である。
【図５】変形例であるスライド式窓構造の正面図である。
【発明を実施するための形態】
【００１７】
以下、図面を参照して本発明の実施の形態を詳細に説明する。図１は、第１の実施の形態であるスライド式窓構造の正面図（但し、一方の窓枠を断面で示す）であり、（ａ）は閉じた状態で、（ｂ）は開いた状態である。図２は、図１の矢印II部を拡大して示す図である。図３は、図２の構成をIII-III線で切断して矢印方向に見た図である。
【００１８】
図１において、建物の壁面等に取り付けられる矩形状の固定枠１は、２枚の窓枠２を左右にスライド可能に支持している。即ち、固定枠１の下縁上部にはレール１ａが敷設されており、窓枠２の下端に取り付けられた戸車２ａが、レール１ａ上を転動し、これにより窓枠２は左右にスライド可能となっている。矩形状の窓枠２の内周における左右の垂直縁には、それぞれ対向するようにＬＥＤ光源３が並んで形成されている。ＬＥＤ光源３は、片側にのみ設けられていても良い。又、固定枠１の上縁下部には、補助枠４が固定して取り付けられており、固定枠１の一部を構成する。
【００１９】
図２において、固定枠１に埋設されたコネクタ５には、不図示の建物内部を通過する電灯線Ｌが接続されている。コネクタ５は、補助枠４に埋設されたコネクタ６と嵌合している。補助枠４の図１で右側の下面には、コネクタ６を起点として、断面がＵ字状の溝４ａがスライド方向に延在するように形成されている。一方、窓枠２の上部には、断面がＵ字状の溝２ｂに対向してスライド方向に延在するように形成されている。溝２ｂの末端には中継部２ｃが形成されている。
【００２０】
コネクタ６に接続された給電用ケーブル７は、溝４ａに沿って延在し、途中Ｕ字状に折り返した後、溝２ｂに沿って延在し、中継部２ｃに接続されている。給電用ケーブル７は、スライド方向と直交する断面において、折り返しライン（図２で紙面垂直なライン）方向の幅が、それと直交する方向の幅より小さくなっており、即ちフラットケーブルとなっている。中継部２ｃからＬＥＤ光源３の回路基板３ａに対して各々配線８が接続されている。
【００２１】
図３に示すように、回路基板３ａの裏面は、棒状である共通のヒートシンク９に接触するようにして接着されている。ヒートシンク９は、放熱性の良い金属や樹脂からなり、発光するＬＥＤ素子３からの熱を放熱する機能を有する。ヒートシンク９と回路基板３ａとは、熱伝導性の高い材料（ゲルなど）を間に介在させることで、放熱効果を高めることもできる。
【００２２】
ここで、ヒートシンク９を固定保持する窓枠２は、その縁部断面が図３で示すような中空のＵ字形状を有しており、室内側（図３で下側）ではヒートシンク９全体を覆っているが、室外側（図３で上側）ではヒートシンク９の少なくとも一部を露出させている。これにより、ＬＥＤ光源３から伝わる熱を、ヒートシンク９を介して室外側に放熱することが出来、また窓枠２をスライドする人の手に熱が伝わりにくい構造となっている。窓枠２は、プラスチックや木など熱伝導率が低い素材が好ましい。
【００２３】
図３において、窓枠２は光透過性の導光板１０の周囲を保持しており、ＬＥＤ光源３は、導光板１０の縁部に対向して配置されている。尚、図３から明らかなように、ＬＥＤ光源３及びヒートシンク９は、少なくとも室内側からは窓枠２に隠れて見えないようになっている。
【００２４】
図４は、導光板１０の断面を示す概略図である。導光板１０は平板状であり、アクリルやポリカーボネート、又はガラス等で形成することができる。導光板１０の一方の主面（図４で下側主面即ち室内側主面）は、光が空気との境界面で全反射するよう表面が滑面で形成されている。又、他方の主面（図４で上側主面即ち屋外側主面）には、拡散反射部としてドット１０ａのパターンが形成されている。ドット１０ａは、例えばシリカ、酸化チタン等の拡散剤を混入したインクを、導光板１０に塗布（印刷）することで得られる。尚、ドット径を数１０μｍ程度にすることで、肉眼で視認されないようにでき、ユーザー等に違和感を覚えさせないようにできるが、よりドット径を大きくして、図形や文字などのパターンを描くこともできる。又、拡散反射部として、ドット１０ａを印刷する代わりに、導光板１０を不透明にしたり、表面を粗し面とすることもできる。
【００２５】
本実施の形態の動作について説明する。屋内配線Ｌからコネクタ５、６を介して、給電用ケーブル７に電力が供給され、更に中継部２ｃと配線８を介して回路基板３ａに電力が供給され、ＬＥＤ光源３が発光すると、図４に示すように、導光板１０の端部から入射した光は、室内側主面（図４で下側主面）では全反射しながら進行するが、ドット１０ａに入射した時点で拡散が生じ、一部の光の反射角が変化して、その後深い角度で室内側主面の空気に接する界面に入射するため、全反射条件が崩れ、導光板１０の表面から出射するようになる。光源から遠ざかるにつれて、単位面積当たりのドットの面積が大きくなるようにドットを印刷することで、導光板１０の全面で均一な発光を行わせることができる。一方、給電を中断し、ＬＥＤ光源３の発光を停止させれば、導光板１０は素通しとなって外光を室内に取り入れることができる。
【００２６】
更に、固定枠１に対して窓枠２をスライドして開く場合、図１に示すように、コネクタ６は固定枠１に対して固定された位置に維持されるが、中継部２ｃは窓枠２に沿って移動する。かかる場合、窓枠２と共に、給電用ケーブル７が対向する溝４ａと溝２ｂとで形成される空間内を、折り返し部を変えながら移動することとなる。つまり、給電用ケーブル７が、固定枠１から窓枠２まで、少なくとも窓枠２のスライド方向に沿って延在するので、固定枠１に対して窓枠２をスライドさせる際に抵抗にならず、給電用ケーブル７を介して固定枠１側からＬＥＤ光源３に給電を行え、任意に発光させることができる。一方、固定枠１に対して窓枠２を閉じる場合も、窓枠２と共に、給電用ケーブル７が対向する溝４ａと溝２ｂとで形成される空間内を、折り返し部を変えながら移動することとなるので、断線等が生じる恐れはない。
【００２７】
図５は、変形例にかかるスライド窓構造を示す図１と同様な図である。本変形例においては、給電用ケーブル７としてカールコードを用いている。より具体的には、補助枠４の溝を廃止し、補助枠４の固定位置から給電用ケーブル７が、窓枠２の溝２ｂ内へと供給されるようにしている。又、窓枠２の溝２ｂ内の給電用ケーブル７は、カールコード状となっていて、その先で中継部２ｃに接続されている。それ以外の構成は、上述の実施の形態と同様である。
【００２８】
固定枠１に対して窓枠２をスライドさせる場合、中継部２ｃは窓枠２に沿って移動するが、給電用ケーブル７のカールコードの部分が伸ばされるため、固定枠１に対して窓枠２をスライドさせる際に殆ど抵抗にならず、給電用ケーブル７を介して固定枠１側からＬＥＤ光源３に給電を行え、任意に発光させることができる。一方、固定枠１に対して窓枠２を閉じる場合も、窓枠２と共に、給電用ケーブル７が溝２ｂ内で元のカール形状に戻ろうとするため、断線等が生じる恐れはない。
【符号の説明】
【００２９】
１ 固定枠
１ａ レール
２ 窓枠
２ａ 戸車
２ｂ 溝
２ｃ 中継部
３ ＬＥＤ光源
３ａ 回路基板
４ 補助枠
４ａ 溝
５ コネクタ
６ コネクタ
７ 給電用ケーブル
８ 配線
９ ヒートシンク
１０ 導光板
１０ａ ドット
Ｌ 屋内配線
【図２】
2012149440.tif 000003
【図３】
2012149440.tif 000004
【図４】
2012149440.tif 000005
【図１】
2012149440.tif 000006
【図５】
2012149440.tif 000007